(57)【要約】【課題】撹拌軸を支持する水中軸受に発生する偏磨耗の発生を防止し、水中軸受の交換頻度が少なく、水中軸受の交換作業を容易に行うことができるフロキュレータを提供する。【解決手段】本体１１が積層式樹脂材料で成形されている撹拌軸１０と、固定アーム２０を介して撹拌軸１０に結合している撹拌板３０を備え、撹拌軸１０が水中軸受で支持されているフロキュレータ１において、水中軸受を、内周面５１を有し上下に分割される外装部５０と、撹拌軸１０の端部に積層式樹脂材料で成形されている軸フランジ部１２に連結する内転フランジ部６１を有する内転部６０と、内周面５１に接し硬度が内周面５１より低い材質で成形され内転部６０の外周側に３個以上配設される転動体７０と、を備える転がり軸受とした。【選択図】図２
2014042864.tif 000002
【特許請求の範囲】
【請求項１】
水処理施設で使用され、本体が積層式樹脂材料で成形されている撹拌軸と、固定アームを介して前記撹拌軸に結合している撹拌板を備え、前記撹拌軸が水中軸受で支持されているフロキュレータにおいて、
前記水中軸受が、軸受架台等に固定され内周面を有し上下に分割される外装部と、
前記撹拌軸の端部に積層式樹脂材料で成形されている軸フランジ部に連結する内転フランジ部を有する内転部と、
前記内周面に接し硬度が前記内周面より低い材質で成形され前記内転部の外周側に３個以上配設される転動体と、を備える転がり軸受であることを特徴とするフロキュレータ。
【請求項２】
請求項１に記載のフロキュレータにおいて、
積層式樹脂材料が炭素繊維入り積層式樹脂材料であることを特徴とするフロキュレータ。
【請求項３】
請求項１又は２に記載のフロキュレータにおいて、
前記外装部がステンレス鋼又は鋳鋼にて成形され、前記内転部がステンレス鋼又は炭素繊維入り積層樹脂材料にて成形されていることを特徴とするフロキュレータ。
【請求項４】
請求項１乃至３のいずれかに記載のフロキュレータにおいて、
水中で駆動装置に最も近い位置に設置される前記転がり軸受に配設される前記転動体の形状は、鍔付き円筒形であることを特徴とするフロキュレータ。
【請求項５】
請求項４に記載のフロキュレータにおいて、
水中で駆動装置に最も近い位置に設置される前記転がり軸受の内周面の幅は、前記鍔付き円筒形の転動体における鍔を除いた円筒形の長さであることを特徴とするフロキュレータ。
【請求項６】
請求項１乃至５のいずれかに記載のフロキュレータにおいて、
水中で駆動装置に最も近い位置以外に設置される前記転がり軸受に配設される前記転動体の形状は、円筒形であることを特徴とするフロキュレータ。
【請求項７】
請求項６に記載のフロキュレータにおいて、
水中で駆動装置に最も近い位置以外に設置される前記転がり軸受の前記内周面の幅は、前記円筒形の転動体における円筒形の長さより広いことを特徴とするフロキュレータ。
【発明の詳細な説明】
【技術分野】
【０００１】
本発明は、水処理施設で使用されるフロキュレータに関する。更に詳しくは、撹拌軸が水中軸受で支持されているフロキュレータに関する。
【背景技術】
【０００２】
水処理施設においては、原水中のコロイド状懸濁質の除去を目的とした凝集処理を行っており、凝集処理プロセスのうちフロック形成における撹拌強度を与える装置として、フロック形成池の損失水頭が少なくまた水質変動に応じた撹拌強度変更が容易である機械撹拌式のフロキュレータが広く用いられている。
【０００３】
従来、図６に示す通り、フロキュレータ１００は、撹拌軸１０１と、固定アーム１０２を介して撹拌軸１０１に結合している撹拌板１０３を備え、フロック形成池１００Ａにおいて、撹拌軸１０１は１本以上水平に配置され（図６では、２本配置されている。）、フロック形成に必要な撹拌強度をもって撹拌軸１０１を回転させるため、撹拌軸１０１の本体１０１Ａの両端部に連結している撹拌軸受部１０１Ｂが、水中軸受１０４で支持されている。尚、空中である機械室１０６において、駆動装置１０７と撹拌軸受部１０１Ｂとに連結している駆動軸１０８は、空中軸受１０９で支持されている。
【０００４】
フロキュレータ１００の材質は、従来、撹拌軸１０１の本体１０１Ａは中空軸であり鋼管等で成形され、中実軸の撹拌軸受部１０１Ｂ及び固定アーム１０２は鋼材で成形されていたが、軽量化及び耐腐食性の向上等を目的に、撹拌軸１０１の本体１０１Ａ、固定アーム１０２、及び撹拌板１０３は、積層式樹脂材料で成形されるようになった（下記特許文献１参照）。しかし、撹拌軸受部１０１Ｂは未だ鋼材を使用していたので、撹拌軸１０１の製造時の作業が煩雑で、また撹拌軸１０１の重力方向の質量が大きくなっていた。更に、撹拌軸受部１０１Ｂが鋼材で成形されているので耐腐食性能を保持させるため、従来通り新規製作時及び使用開始後に定期的に防食塗装等の耐腐食処置を行う必要があり、メインテナンスが煩雑であるとの不具合があった。
【０００５】
水中軸受１０４は、設置環境が水中であり、水中及び空中である水張り無し状態での軸受支持力が大きいため、従来、図７に示す通り、内周面１１１が撹拌軸受部１０１Ｂの周面と接触する滑り軸受１１０が使用されていた。滑り軸受１１０は、据付作業の容易性と内周面１１１の摩耗による定期的交換の容易性から、上部軸受１１２Ａ及び上部軸受箱１１３Ａと、下部軸受１１２Ｂ及び下部軸受箱１１３Ｂとに上下２分割されていた。
【０００６】
しかしながら、滑り軸受１１０で撹拌軸受部１０１Ｂを支持すると、フロキュレータ１００は設備が大きく撹拌軸１０１の本体１０１Ａを積層式樹脂材料で成形したとしても、重力方向の質量と撹拌反力との合成力により下部軸受１１２Ｂの特定位置に偏磨耗が発生し、数年毎に滑り軸受１１０を交換する必要があった。
【０００７】
更に、滑り軸受１１０を交換するには、大型の撹拌軸１０１を持ち上げて下部軸受１１２Ｂの抜き差し作業を行う必要があり、交換作業が大掛かりになるとの不具合があった。
【０００８】
尚、下部軸受１１２Ｂの特定位置に偏磨耗が発生するのを防止し、滑り軸受１１０の交換作業を容易にするため、撹拌軸１０１の本体１０１Ａの口径を大きくし反重力方向に浮力を生じさせることが行われている（下記特許文献２参照）。しかし、この場合でも反重力方向の浮力と撹拌反力との合成力により上部軸受１１２Ａの特定位置に偏磨耗が発生し、数年毎に滑り軸受１１０を交換する必要があった。更に、撹拌軸１０１の本体１０１Ａの口径を大きくすると重力方向の質量が大きくなり、設置時に水張り無し状態において、滑り軸受１１０に重力方向の過大な支持力が発生し、また撹拌軸１０１の本体１０１Ａに自重による極度の曲げ力が作用するため、フロック形成池１００Ａで水張り無し状態の試運転が出来ないとの不具合があった。
【先行技術文献】
【特許文献】
【０００９】
【特許文献１】特開２０１０−０２９８２８
【特許文献２】特開２００７−２２９６６８
【発明の概要】
【発明が解決しようとする課題】
【００１０】
本発明は上述の不具合点を解決するためになされたものであって、その目的とするところは、撹拌軸を支持する水中軸受に発生する偏磨耗の発生を防止し、水中軸受の交換頻度が少ないフロキュレータを提供することである。
【００１１】
また、別の目的は、水中軸受の交換作業を容易に行うことができるフロキュレータを提供することである。
【００１２】
また、別の目的は、撹拌軸の製造時及び設置時の作業を容易にし、撹拌軸の重量が軽いフロキュレータを提供することである。
【００１３】
また、別の目的は、新規製作時及び使用開始後に定期的に防食塗装等の作業を行う必要がなく、メインテナンスが容易なフロキュレータを提供することである。
【課題を解決するための手段】
【００１４】
上記目的を達成するため、本発明の請求項１に係るフロキュレータは、水処理施設で使用され、本体が積層式樹脂材料で成形されている撹拌軸と、固定アームを介して前記撹拌軸に結合している撹拌板を備え、前記撹拌軸が水中軸受で支持されているフロキュレータにおいて、前記水中軸受が、軸受架台等に固定され内周面を有し上下に分割される外装部と、前記撹拌軸の端部に積層式樹脂材料で成形されている軸フランジ部に連結する内転フランジ部を有する内転部と、前記内周面に接し硬度が前記内周面より低い材質で成形され前記内転部の外周側に３個以上配設される転動体と、を備える転がり軸受であることを特徴とするものである。
【００１５】
また、本発明の請求項２に係るフロキュレータは、請求項１に記載のフロキュレータにおいて、積層式樹脂材料が炭素繊維入り積層式樹脂材料であることを特徴とするものである。
【００１６】
また、本発明の請求項３に係るフロキュレータは、請求項１又は２に記載のフロキュレータにおいて、前記外装部がステンレス鋼又は鋳鋼にて成形され、前記内転部がステンレス鋼又は炭素繊維入り積層樹脂材料にて成形されていることを特徴とするものである。
【００１７】
また、本発明の請求項４に係るフロキュレータは、請求項１乃至３のいずれかに記載のフロキュレータにおいて、水中で駆動装置に最も近い位置に設置される前記転がり軸受に配設される前記転動体の形状は、鍔付き円筒形であることを特徴とするものである。
【００１８】
また、本発明の請求項５に係るフロキュレータは、請求項４に記載のフロキュレータにおいて、水中で駆動装置に最も近い位置に設置される前記転がり軸受の内周面の幅は、前記鍔付き円筒形の転動体における鍔を除いた円筒形の長さであることを特徴とするものである。
【００１９】
また、本発明の請求項６に係るフロキュレータは、請求項１乃至５のいずれかに記載のフロキュレータにおいて、水中で駆動装置に最も近い位置以外に設置される前記転がり軸受に配設される前記転動体の形状は、円筒形であることを特徴とするものである。
【００２０】
また、本発明の請求項７に係るフロキュレータは、請求項６に記載のフロキュレータにおいて、水中で駆動装置に最も近い位置以外に設置される前記転がり軸受の前記内周面の幅は、前記円筒形の転動体における円筒形の長さより広いことを特徴とするものである。
【発明の効果】
【００２１】
本発明に係るフロキュレータは、撹拌軸の本体が積層式樹脂材料で成形されていると共に撹拌軸の端部に形成されている軸フランジ部が積層式樹脂材料で成形されているので、水中及び水張り無し状態での重力方向の質量を小さくすることができ、その撹拌軸が、内周面を有する外装部と、撹拌軸の端部に形成されている軸フランジ部に連結する内転フランジ部を有する内転部と、内転部の外周側に３個以上配設され内周面に接する転動体と、を備える転がり軸受で支持されているので、転がり軸受けへの作用力が大幅に軽減され、回転動力ロスが減少し、偏摩耗の発生が防止される。よって、転がり軸受の交換頻度を減少することができる。
【００２２】
更に、本発明に係るフロキュレータは、撹拌軸の本体が積層式樹脂材料で成形されていると共に撹拌軸の端部に形成されている軸フランジ部が積層式樹脂材料で成形されているので、水中及び水張り無し状態での重力方向の質量を小さくすることができ、フロック形成池における水張り無し状態で自重による撹拌軸の撓みを減少することができ、水張り無し状態での試運転を行うことができる。
【００２３】
更に、本発明に係るフロキュレータは、撹拌軸の本体が積層式樹脂材料で成形されていると共に撹拌軸の端部に形成されている軸フランジが積層式樹脂材料で成形されているので、撹拌軸全体が積層式樹脂材料となり、撹拌軸の製造時における作業を容易にすることができる。更に、また撹拌軸の他に固定アームと撹拌板を積層式樹脂材料で成形すると、新規製作時及び使用開始後に定期的に行う防食塗装等の耐腐食処置を省くことができる。
【００２４】
更に、本発明に係るフロキュレータは、内周面を有し上下に分割される外装部と、撹拌軸の端部に形成されている軸フランジ部に連結する内転フランジ部を有する内転部と、内周面より硬度が低い材質で成形され内転部の外周側に３個以上配設され内周面に接する転動体とを備える転がり軸受に、撹拌軸が支持されているので、内転部の外周側に配設されている転動体が内周面より先に摩耗し、転がり軸受の交換は、転動体を交換すれば良く、しかも撹拌軸を回転させると内転部も回転するので、上下に分割される外装部の上部を開放することで、撹拌軸を持ち上げることなく内転部の外周側に配設されている転動体を順次交換することができる。
【００２５】
更に、本発明に係るフロキュレータは、撹拌軸等に使用される材料として、積層式樹脂材料の代替として樹脂層に適切な量の炭素繊維が含有されている炭素繊維入り積層式樹脂材料が用いられると、強度を増すことができる。
【００２６】
更に、本発明に係るフロキュレータは、転がり軸受に使用される材料として、外装部がステンレス鋼又は鋳鋼にて成形され、内転部がステンレス鋼又は炭素繊維入り積層式樹脂材料にて成形されると、転がり軸受の耐久性を向上することができる。
【００２７】
更に、本発明に係るフロキュレータは、撹拌軸が支持される水中で駆動装置に最も近い位置に設置される転がり軸受に配設される転動体の形状は、鍔付き円筒形であり、その転がり軸受の外装部の内周面の幅は、鍔付き円筒形における鍔を除いた円筒形の長さと等しいので、水温変化により撹拌軸が軸長方向に伸縮した場合であっても位置ずれが生じるのを防止することができる。
【００２８】
更に、本発明に係るフロキュレータは、撹拌軸が支持される水中で駆動装置に最も近い位置以外に設置される転がり軸受に配設される転動体の形状は、円筒形であり、その転がり軸受の外装部の内周面の幅は、円筒形の長さより広いので、水温変化により撹拌軸が軸長方向に伸縮した場合であっても内周面に転動体を一定寸法で常に内接させることができる。
【図面の簡単な説明】
【００２９】
【図１】本発明１に係るフロキュレータの概略説明図
【図２】図１におけるＸ１部の拡大断面図
【図３】図２におけるＹ−Ｙの位置で切断した断面図
【図４】図１におけるＸ２部の部分拡大断面図
【図５】図１におけるＸ１部の部分拡大断面図
【図６】従来のフロキュレータの概略説明図
【図７】（１）は、図６におけるＸ３部の拡大側面図であり、（２）は、図６におけるＸ３部の拡大断面図
【発明を実施するための形態】
【００３０】
以下に図面を参照して、この発明の実施形態に係るフロキュレータについて、例示して説明する。
【００３１】
図１は、本発明に係るフロキュレータの概略説明図であり、図２は、図１におけるＸ１部の拡大断面図、即ち、撹拌軸が支持されている状態での転がり軸受の軸長方向の断面図であり、図３は、図２におけるＹ−Ｙの位置で切断した転がり軸受の断面図であり、図４は、図１におけるＸ２部の部分拡大断面図、即ち、転がり軸受における転動体と内周面との関係を示す断面図、図５は、図１におけるＸ１部の部分拡大断面図、即ち、図４とは別の位置に設置される転がり軸受における転動体と内周面との関係を示す断面図である。
【００３２】
本発明に係るフロキュレータ１は、図１乃至３に示す通り、フロック形成池２に設置され、撹拌軸１０と、固定アーム２０と、撹拌板３０とを備え、撹拌軸１０は転がり軸受４０で支持されている。
【００３３】
撹拌軸１０は、フロック形成池２に水平に設置され、筒状の本体１１と、本体１１の両端部に形成されている軸フランジ部１２とで構成され、後述する水中軸受である転がり軸受４０により支持されている。撹拌軸１０は、通常複数本が連結され（図１では、２本連結されている。）、最も駆動装置４寄りに設置されている撹拌軸１０の駆動側端部が、空中である機械室３に設置されていて駆動装置４に連動して回転する駆動軸５と、水中であるフロック形成池２で駆動装置４に最も近い位置に設置される第一転がり軸受４０Ａで連結されて支持されているので、回転するようになっている。尚、６は空中軸受である。撹拌軸１０は、本体１１及び軸フランジ部１２共に通常使用されるガラス繊維を含む繊維で補強された積層式樹脂材料、又はカーボン繊維入り積層式樹脂材料で成形されている。カーボン繊維入り積層式樹脂材料は、通常使用されるガラス繊維を含む繊維で補強された繊維体積率が３０乃至６０％の積層式樹脂材料の繊維部分の一部をカーボン繊維に置き換えたもので、カーボン繊維が繊維体積率３０乃至６０％の中の少なくとも５乃至２０％含有されているものである。
【００３４】
固定アーム２０は、後述する撹拌板３０を撹拌軸１０に結合させる部材であって、軸長手方向に対する断面形状はコの字形状又はＬ字形状であって、撹拌軸１０の回転により撹拌板３０と共に回転するようになっている。固定アーム２０の材質は、撹拌軸１０と同じ通常使用されるガラス繊維を含む繊維で補強された積層式樹脂材料、又はカーボン繊維入り積層式樹脂材料であることが好ましいが、鋼材であっても良い。
【００３５】
撹拌板３０は、撹拌軸１０の回転で固定アーム２０と共に回転しフロックを成長させる機能を有するので、回転方向に対し広い面積を有するように形成されており、板厚を薄くしたときでも水の圧力に抗しうるように長手方向に対し直角断面形状がコの字形状又は矩型をしている。撹拌板３０の材質は、撹拌軸１０と同じ通常使用されるガラス繊維を含む繊維で補強された積層式樹脂材料、又はカーボン繊維入り積層式樹脂材料であることが好ましいが、発泡性樹脂材料をガラス繊維を含む繊維で補強したものであっても良い。
【００３６】
転がり軸受４０は、図２及び図３に示す通り、外装部５０と内転部６０と転動体７０とを備えている。
【００３７】
外装部５０は、内周側に後述する転動体７０と接する内周面５１が形成されていて、上部外装体５２Ａに形成されている上部外装フランジ部５３Ａと下部外装体５２Ｂに形成されている下部外装フランジ部５３Ｂの位置で、上部外装体５２Ａと下部外装体５２Ｂとに上下に２分割され、下部外装体５２Ｂに形成されている脚部５４で図示されていない軸受架台等に固定されている。外装部５０は、内周面５１及び外装体５２等の要部が、ステンレス鋼又は鋳鋼で成形されている。
【００３８】
内転部６０は、２枚の同形の円盤状の内転フランジ部６１が円筒状の内周連結部６２と外周連結部６３により左右対称に結合されている。内転フランジ部６１は、外側で撹拌軸１０の軸フランジ部１２と、螺子等にて連結される。内転部６０は、ステンレス鋼又は撹拌軸１０と同じ炭素繊維入り積層式樹脂材料で成形されている。
【００３９】
転動体７０は、３個以上（図３では、４個配設されている。）が円周上等間隔で、外周連結部６３の切欠け部６４に配設されている。転動体軸部７１が内転フランジ部６１に固定され、転動体軸部７１の外周側に固定されている転動体本体７２は、転動体軸部７１を中心に回転し、外装部５０の内周面５１に接するようになっている。転動体本体７２は、外装部５０の内周面５１より硬度が低い材質で成形されているので、転動体本体７２が内周面５１より先に摩耗するようになっている。
【００４０】
水中であるフロック形成池２で駆動装置４に最も近い位置に設置される第一転がり軸受４０Ａにおける転動体本体７２Ａの形状は、図４に示す通り、両端に鍔７３を有する鍔付き円筒形であり、この鍔付き円筒形の転動体本体７２Ａと接する外装部５０Ａの内周面５１Ａの幅は、鍔付き円筒形の鍔７３を除いた円筒形の部分の長さと同じに設定されている。
【００４１】
水中であるフロック形成池２で駆動装置４に最も近い位置以外に設置される第二転がり軸受４０Ｂにおける転動体本体７２Ｂの形状は、図５に示す通り、鍔がない通常の円筒形であり、この鍔がない円筒形の転動体本体７２Ｂと接する外装部５０Ｂの内周面５１Ｂの幅は、水温変化による伸縮長さと余裕幅が考慮され、円筒形の長さよりも広く設定されている。
【００４２】
次に、転がり軸受４０の交換方法について説明する。転がり軸受４０は、転動体本体７２が外装部５０の内周面５１より硬度が低い材質で成形されているので転動体本体７２が先に摩耗し、転がり軸受４０の交換は、転動体７０を交換すれば良い。
【００４３】
転動体７０は、内転フランジ部６１に固定されている転動体軸部７１を外すことで、摩耗している転動体本体７２を取り外すことができる。転動体７０は、内転部６０の外周側に円周上均等に配設されていて、真上の位置にある転動体７０は、上下に２分割される上部外装体５２Ａを開放することで容易に取り外すことができる。図３の場合、はじめに真上の位置にある転動体７０ａを交換する。次いで、撹拌軸１０を時計回りに９０度回転させることで、撹拌軸１０に連結している内転部６０を９０度回転させ、転動体７０ｂを真上の位置に移動させ交換する。同様に、撹拌軸１０を回転させ、転動体７０ｃ、７０ｄを順次交換する。
【００４４】
以上の通り、本発明に係るフロキュレータ１は、撹拌軸１０の本体１１と端部に形成されている軸フランジ部１２が積層式樹脂材料で成形されているので、水中及び水張り無し状態での重力方向の質量を小さくすることが可能となる。固定アーム２０、撹拌板３０も積層式樹脂材料で成形すると、更に重力方向の質量を小さくすることが可能となる。従って、撹拌軸１０を、内周面５１を有する外装部５０と、撹拌軸１０の端部に形成されている軸フランジ部１２に連結する内転フランジ部６１を有する内転部６０と、内転部６０の外周側に３個以上配設され内周面５１に接する転動体７０と、を備える転がり軸受４０で支持することが可能となる。重力方向の質量が小さくなるので、転がり軸受け４０への作用力が大幅に軽減され、回転動力ロスを少なくすることが可能となり、偏摩耗の発生を防止することが可能となる。よって、転がり軸受４０の交換頻度を減少することが可能となる。
【００４５】
更に、本発明に係るフロキュレータ１は、撹拌軸１０の本体１１が積層式樹脂材料で成形されていると共に撹拌軸１０の端部に形成されている軸フランジ部１２が積層式樹脂材料で成形されているので、撹拌軸１０全体が積層式樹脂材料となり、撹拌軸１０の製造時の作業を容易にすることが可能となる。更に、固定アーム２０と撹拌板３０も積層式樹脂材料で成形されていると新規製作時及び使用開始後に定期的に防食塗装等の耐腐食処置を省くことが可能となる。
【００４６】
更に、本発明に係るフロキュレータ１は、内周面５１を有し上下に分割される外装部５０と、撹拌軸１０の端部に形成されている軸フランジ部１１に連結する内転フランジ部６１を有する内転部６０と、内周面５１より硬度が低い材質で成形され内転部６０の外周側に３個以上配設され内周面５１に接する転動体７０とを備える転がり軸受４０に、撹拌軸１０が支持されているので、内周面５１より硬度が低い転動体本体７２が先に摩耗し、転がり軸受４０の交換は転動体７０のみを交換すれば良い。しかも撹拌軸１０を回転させると内転部６０も回転し、内転部６０の外周側に配設されている転動体７０を回転移動することができるので、転がり軸受４０の交換時に、上下に分割される上部外装体５２Ａを開放することで、撹拌軸１０を持ち上げることなく内転部６０の外周側に配設されている転動体７０を全て容易に交換することが可能となる。
【００４７】
更に、本発明に係るフロキュレータ１は、撹拌軸１０が支持されるフロック形成池２で駆動装置４に最も近い位置に設置される第一転がり軸受４０Ａに配設される転動体本体７２Ａの形状は、鍔付き円筒形であり、その第一転がり軸受４０Ａの外装部５０Ａの内周面５１Ａの幅は、鍔付き円筒形の転動体本体７２Ａにおける鍔７３を除いた円筒形の長さに設定されているので、水温変化により撹拌軸１０が軸長方向に伸縮した場合であっても位置ずれが生じるのを防止することが可能となる。
【００４８】
更に、本発明に係るフロキュレータ１は、撹拌軸１０が支持されるフロック形成池２で駆動装置４に最も近い位置以外に設置される第二転がり軸受４０Ｂに配設される転動体本体７２Ｂの形状は、円筒形であり、その第二転がり軸受４０Ｂの外装部５０Ｂの内周面５１Ｂの幅は、円筒形の転動体本体７２Ｂにおける円筒形の長さより水温変化による伸縮長さと余裕幅を考慮した広さに設定されているので、水温変化により撹拌軸１０が軸長方向に伸縮した場合であっても内周面５１Ｂに転動体本体７２Ｂを一定寸法で常に内接させることが可能となる。
【符号の説明】
【００４９】
１            フロキュレータ
２            フロック形成池
３            機械室
４            駆動装置
５            駆動軸
６            空中軸受
１０          撹拌軸
１１          本体
１２          軸フランジ部
２０          固定アーム
３０          撹拌板
４０          転がり軸受
５０          外装部
５１          内周面
５２          外装体
５３          外装フランジ部
５４          脚部
６０          内転部
６１          内転フランジ部
６２          内周連結部
６３          外周連結部
６４          切欠け部
７０          転動体
７１          転動体軸部
７２          転動体本体
７３          鍔
【図１】
2014042864.tif 000003
【図２】
2014042864.tif 000004
【図３】
2014042864.tif 000005
【図４】
2014042864.tif 000006
【図５】
2014042864.tif 000007
【図６】
2014042864.tif 000008
【図７】
2014042864.tif 000009